(57)【要約】      （修正有）【課題】平面振動板が傾いて配置されることを抑制し、歪みの小さなラウドスピーカを提供する。【解決手段】第１フレーム２２と、第１磁気回路２３と、支柱２４と、第２フレーム２５と、平面振動板２６と、駆動体２７と、押し付け体３１と、金属製の固定体４１とを含む。固定体は、ねじ部を有し、磁気回路の下面から支柱を貫通するように設けられている。押し付け体は、ねじ部を係合するねじ孔を有している。支柱は、第１磁気回路の上面の中心に立って結合されている。第２フレームは、支柱の上端部に結合されている。平面振動板の外周は、第１フレームに連結され、平面振動板の内周は、第２フレームと連結されている。押し付け体は、支柱の上端部に押し当てられて、支柱の下端部を第１磁気回路の上面へ押し付けており、押し付け体と第１磁気回路の上面とで、支柱が挟み込まれて保持された構成となる。【選択図】図３
2016052020.tif 000002
【特許請求の範囲】
【請求項１】
第１フレームと、
上面と前記上面の反対の下面を有し、前記第１フレームに結合された第１磁気回路と、
上端部と、上端部の反対の下端部を有し、前記第１磁気回路の上面の中心に立って結合された支柱と、
前記支柱の前記上端部に結合された第２フレームと、
外周が前記第１フレームに連結され、内周が前記第２フレームと連結された環状の平面振動板と、
前記振動板を駆動する駆動体と、
ねじ孔を有し、前記支柱の前記上端部に押し当てられて、前記支柱の前記下端部を前記磁気回路の前記上面へ押し付けるように設けられた押し付け体と、
前記磁気回路の前記下面から前記支柱を貫通して、前記ねじ孔に係合されたねじ部を有し、前記押し付け体と前記磁気回路の前記上面とで、前記支柱を挟み込んで保持する金属製の固定体と、を備えた、
ラウドスピーカ。
【請求項２】
前記固定体の硬度は、前記押し付け体の硬度よりも大きい、
請求項１に記載のラウドスピーカ。
【請求項３】
前記押し付け体の硬度は、前記支柱の硬度よりも大きい、
請求項２に記載のラウドスピーカ。
【請求項４】
前記固定体と、前記押し付け体、および前記支柱は、金属製である、
請求項２に記載のラウドスピーカ。
【請求項５】
前記支柱は、非磁性体によって形成された、
請求項２に記載のラウドスピーカ。
【請求項６】
前記第２フレームと前記支柱は、一体に形成された、
請求項１に記載のラウドスピーカ。
【請求項７】
第２磁気回路を有し、前記第２フレーム内に収納された第２スピーカユニット部を、さらに備えた、
請求項１に記載のラウドスピーカ。
【請求項８】
前記押し付け体は、磁性体によって形成されて、前記第２磁気回路の一部を構成した、
請求項７に記載のラウドスピーカ。
【請求項９】
前記第２のスピーカユニット部は、
前記第２フレーム内に収納された第３フレームと、
外周が前記第３フレームと結合された第２振動板と、
前記押し付け体と、前記押し付け体の外周に立ち上がって形成されたヨークと、前記押し付け体と結合されて、前記ヨークと磁気的に結合された磁石と、前記磁石において前記押し付け体の反対側に前記磁石と磁気的に結合されるように配置され、前記ヨークとの間に第２磁気ギャップが形成された上部プレートと、を含む第２磁気回路と、
第１端部と第２端部を有し、第１端部が前記第２磁気ギャップへ挿入され、第２端部が前記第２振動板へ結合されたボイスコイルと、
を、有した、
請求項８に記載のラウドスピーカ。
【請求項１０】
前記押し付け体と前記ヨークを一体に形成し、前記ヨークは、前記押し付け体から折れ曲がって形成された、
請求項９に記載のラウドスピーカ。
【請求項１１】
前記支柱は、非磁性体によって形成された、
請求項１に記載のラウドスピーカ。
【請求項１２】
前記支柱は、前記第１磁気回路に形成された挿入孔に嵌められた突起を有した、
請求項１に記載のラウドスピーカ。
【請求項１３】
前記挿入孔は、前記支柱の回転を止める回転止めを有した、
請求項１２に記載のラウドスピーカ。
【請求項１４】
前記支柱は、前記磁気回路の前記上面に接する下部において第１の径を有し、前記下部の反対の上部において、前記第１の径よりも大きな径の第２の径を有した貫通孔が形成された、
請求項１に記載のラウドスピーカ。
【発明の詳細な説明】
【技術分野】
【０００１】
本発明は、各種の音響機器に搭載されるラウドスピーカに関する。
【背景技術】
【０００２】
以下、従来のラウドスピーカについて説明する。従来のラウドスピーカは、フレームと、磁気回路と、支柱と、平板状の振動板と、第１エッジと、第２エッジと、スピーカユニットを含んでいる。磁気回路は、フレームに結合されている。支柱の上端と下端に、ねじが形成されている。スピーカユニットは、支柱の上に搭載されて、ねじによって支柱に固定されている。また、支柱は、磁気回路の中心に搭載され、ねじによって磁気回路に固定されている。
【０００３】
第１エッジの内周は、振動板の外周に結合されている。一方、第１エッジの外周は、第１フレームと結合されている。第２エッジの外周は、振動板の内周に結合されている。一方第２エッジの内周は、スピーカユニットと結合されている。
【０００４】
なお、この出願の発明に関連する先行技術文献情報としては、例えば、特許文献１が知られている。
【先行技術文献】
【特許文献】
【０００５】
【特許文献１】実開昭６１−１９５１８９のマイクロフィルム
【発明の概要】
【発明が解決しようとする課題】
【０００６】
しかしながら従来のラウドスピーカの支柱は、ねじによって磁気回路および、スピーカユニットと固定されているので、支柱や、スピーカユニットが、磁気回路の上面に対して傾いて設置される場合が発生する。その結果、振動板が傾いて設置されることや、振動板が中心からずれて設置されることが発生し、振動板から出力される音の歪み特性が悪いという課題を有していた。
【０００７】
そこで本発明は、この問題を解決したもので、振動板が磁気回路上面に対して傾たり、中心からずれて配置されることを抑制し、歪みの小さなラウドスピーカを提供することが目的である。
【課題を解決するための手段】
【０００８】
この目的を達成するために、本発明のラウドスピーカは、第１フレームと、第１磁気回路と、支柱と、第２フレームと、平面振動板と、駆動体と、押し付け体と、金属製の固定体とを含んでいる。固定体は、磁気回路の下面から支柱を貫通するように設けられている。さらに、固定体は、ねじ部を含んでいる。押し付け体は、ねじ部を係合するねじ孔を有している。駆動体は、振動板を駆動している。
【０００９】
第１磁気回路は、第１フレームに結合されている。支柱は、第１磁気回路の上面の中心に立って結合されている。第２フレームは、支柱の上端部に結合されている。平面振動板は環状である。平面振動板の外周は、第１フレームに連結されている。一方、平面振動板の内周は、第２フレームと連結されている。
【００１０】
押し付け体は、支柱の上端部に押し当てられて、支柱の下端部を第１磁気回路の上面へ押し付けている。そして、押し付け体と第１磁気回路の上面とで、支柱が挟み込まれて保持された構成である。これにより所期の目的を達成することができる。
【発明の効果】
【００１１】
以上のように本発明によれば、固定体は、押し付け体を支柱の上端部に押し当てるようにして、支柱と、押し付け体と、第１磁気回路を締結している。すなわち、支柱は、押し付け体と磁気回路の上面との間で挟み込まれて保持されているので、支柱が第１磁気回路の上面に対して傾いて配置されることを抑制できる。また、第２フレームを第１磁気回路の中心に精度良く配置できる。したがって、平面振動板が第１磁気回路上面に対して傾いて配置されることや、中心からずれて配置されることを抑制できる。その結果、ラウドスピーカから出力される音の歪みを小さくできる。また、振動板のローリングを抑制できるので、振動板の大振幅時にボイスコイルが磁気回路に当たることも抑制できる。
【図面の簡単な説明】
【００１２】
【図１】本実施の形態のラウドスピーカの斜視図
【図２】本実施の形態のラウドスピーカの側面図
【図３】本実施の形態のラウドスピーカの断面図
【図４】本実施の形態の第２スピーカユニット部の断面図
【図５】本実施の形態の平面振動板の要部拡大断面図
【図６】本実施の形態の駆動体の要部拡大断面図
【図７】本実施の形態のダンパの要部拡大断面図
【図８】本実施の形態の第１磁気回路の断面図
【図９】本実施の形態の支柱の断面図
【図１０】本実施の形態のセンターポールの上面図
【図１１】本実施の形態の固定体の側面図
【発明を実施するための形態】
【００１３】
以下本実施の形態におけるラウドスピーカについて説明する。
【００１４】
（実施の形態１）
以下本実施の形態におけるラウドスピーカ２１について図面を用いて説明する。図１は、ラウドスピーカ２１の斜視図である。図２は、ラウドスピーカ２１の側面図である。図３は、ラウドスピーカの断面図である。
【００１５】
ラウドスピーカ２１は、第１フレーム２２と、第１磁気回路２３と、支柱２４と、第２フレーム２５と、平面振動板２６と、駆動体２７と、押し付け体３１と、金属製の固定体４１を含んでいる。固定体４１は、図１１に示すねじ部４１Ａを含んでいる。また、押し付け体３１は、図４に示すねじ孔３１Ａを有している。そして、図１１に示すねじ部４１Ａは、図４に示すねじ孔３１Ａと係合されている。
【００１６】
第１磁気回路２３は、第１フレーム２２と機械的に結合されている。第１磁気回路２３は、上面２３Ａと下面２３Ｂを有している。なお、第１磁気回路２３の下面２３Ｂは上面２３Ａの反対に形成されている。
【００１７】
支柱２４は、上面２３Ａに立った状態で、結合されている。なお、支柱２４は、上面２３Ａの中心に配置されている。支柱２４は、上端部２４Ａと下端部２４Ｂを有している。なお、下端部２４Ｂは、上端部の反対に設けられている。そして、支柱２４の下端部２４Ｂは、上面２３Ａと対向している。
【００１８】
第２フレーム２５は、上端部２４Ａと結合されている。平面振動板２６の形状は環状である。そして、平面振動板２６の内周は、第２フレーム２５と連結されている。一方、平面振動板２６の外周は、第１フレーム２２と連結されている。
【００１９】
押し付け体３１は、上端部２４Ａに押し当てられている。すなわち、押し付け体３１は、下端部２４Ｂを上面２３Ａへ押し付けている。固定体４１は、下面２３Ｂから支柱２４を貫通している。そして、支柱２４は、押し付け体３１と上面２３Ａとの間に挟み込まれて、保持されている。
【００２０】
以上の構成により、固定体４１は、押し付け体３１を上端部２４Ａに押し当てた状態で、支柱２４と押し付け体３１と第１磁気回路２３を締結している。すなわち、支柱２４は、押し付け体３１と上面２３Ａとの間で挟み込まれた状態で、保持されている。したがって、支柱２４が、上面２３Ａに対して傾いて配置されることを抑制できる。さらに、第２フレーム２５を第１磁気回路２３の中心に精度良く配置できる。また、第２フレーム２５における平面振動板の連結面と上面２３Ａとの平行度が向上する。したがって、平面振動板２６が上面２３Ａに対して傾いて配置されることや、第１磁気回路２３の中心からずれて配置されることを抑制できる。その結果、ラウドスピーカ２１から出力される音の歪みを小さくできる。
【００２１】
また、固定体４１は金属製であり、硬いので、押し付け体３１と支柱２４と第１磁気回路２３との締結強度を大きくできる。また、ラウドスピーカ２１に対して振動や温度変化などが加えられた場合でも、図１１に示すねじ部４１Ａの緩みの発生を抑制できる。
【００２２】
以下、実施の形態１のラウドスピーカ２１についてさらに詳しく説明する。図１に示すように、ラウドスピーカ２１は、第１スピーカユニット部２１Ａと第２スピーカユニット部２１Ｂによって構成されている。第１スピーカユニット部２１Ａと第２スピーカユニット部２１Ｂの出力する周波数帯域は、異なっている。なお、ラウドスピーカ２１は、第１端子２９と、第２端子５９を含んでいる。第１端子２９と、第２端子５９はともに第１フレーム２２に固定されている。第１端子２９は、第１スピーカユニット部２１Ａへ信号を供給している。第２端子５９は、第２スピーカユニット部２１Ｂへ信号を供給している。
【００２３】
第１スピーカユニット部２１Ａは、たとえばフルレンジスピーカである。なお、第１スピーカユニット部２１Ａは、フルレンジスピーカに限られず、ウーハやサブウーハであってもかまわない。一方、第２スピーカユニット部２１Ｂは、たとえばドーム型ツィータである。なお、第２スピーカユニット部２１Ｂは、ドーム型ツィータに限られず、コーン型ツィータであってもかまわない。また、第２スピーカユニット部２１Ｂは、ツィータに限られず、スコーカやフルレンジでもかまわない。さらに、第２スピーカユニット部２１Ｂは、球状のイコライザーであっても良い。あるいは、ラウドスピーカ２１は、第２スピーカユニット部２１Ｂに代えて、ラウドスピーカ２１をイルミネーションによって装飾するための発光ユニットなどを含んでもかまわない。
【００２４】
第２スピーカユニット部２１Ｂは、第１スピーカユニット部２１Ａの中心に配置されている。すなわち、第１スピーカユニット部２１Ａの中心と、第２スピーカユニット部２１Ｂの中心とは、同軸上に配置された構成である。すなわち、ラウドスピーカ２１は、同軸型の構成である。この構成により、ラウドスピーカ２１の音像の位置が安定する。
【００２５】
また、ラウドスピーカ２１を上面方向から見た場合、第１スピーカユニット部２１Ａや第２スピーカユニット部２１Ｂの外形の形状は円形であることが好ましい。この構成により、ラウドスピーカ２１から出力される音の歪みを小さくできる。
【００２６】
第２スピーカユニット部２１Ｂについて、図面を参照しながら説明する。図４は、第２スピーカユニット部２１Ｂの断面図である。第２スピーカユニット部２１Ｂは、第２フレーム２５内に収納されている。第２フレーム２５は、図１に示す第１スピーカユニット部２１Ａの中心に配置されている。第２スピーカユニット部２１Ｂは、第３フレーム５１と、第２振動板５６と、第２磁気ギャップ５３Ｄを有した第２磁気回路５３と、ボイスコイル５７を含んでいる。
【００２７】
第３フレーム５１は、第２フレーム２５内に収納されている。第２振動板５６の外周は、第３フレーム５１と連結されている。なお、第２振動板５６はエッジを含むことが好ましい。この場合、エッジの外周が、第３フレーム５１に結合されている。
【００２８】
第２磁気回路５３は、ヨーク５３Ａと、第２磁石５３Ｂと、上部プレート５３Ｃを含んでいる。第２磁石５３Ｂと上部プレート５３Ｃの形状は円柱状である。ヨーク５３Ａは、押し付け体３１と、筒部３１Ｂを含んでいる。筒部３１Ｂは、押し付け体３１の外周端部から立ち上がって形成されている。押し付け体３１を上から見た形状は、円形である。また、筒部３１Ｂの形状は、円筒状である。つまり、ヨーク５３Ａの形状は、底を有した円筒である。この構成により、押し付け体３１は、第２磁気回路の一部を構成しているので、部品数を削減できる。したがって、図３に示すラウドスピーカ２１を組立てる工数が削減できる。
【００２９】
押し付け体３１と筒部３１Ｂは、一体に形成されている。この場合、筒部３１Ｂは、押し付け体３１から折れ曲がって形成されている。つまり、ヨーク５３Ａの形状は、底を有した円筒である。この構成により、ヨーク５３Ａの生産性が向上する。
【００３０】
ヨーク５３Ａと、上部プレート５３Ｃは、金属製の磁性体材料によって形成されている。したがって、押し付け体３１は、磁性体材料によって形成されている。ヨーク５３Ａと、上部プレート５３Ｃは、鉄によって形成することが好ましい。したがって、ヨーク５３Ａを鉄によって形成した場合、押し付け体３１も鉄によって形成される。
【００３１】
なお、押し付け体３１と筒部３１Ｂは、一体に形成する構成に限られず、別々の部品として構成しても良い。また、筒部３１Ｂの形状は、筒状に限られず、底を有した円筒状でもかまわない。すなわち、押し付け体３１と筒部３１Ｂの底とは、重なって配置されている。この場合、押し付け体３１は、磁性体によって形成することが好ましい。第２磁気回路５３において、第２磁石５３Ｂの外周部の下方の領域での磁気抵抗が、最も大きい。そこで、第２磁石５３Ｂの外周部の下方に、ヨーク５３Ａの底部と、押し付け体３１が重なって配置されるので、第２磁石５３Ｂの外周部の下方の領域の磁気抵抗を小さくできる。したがって、第２磁気ギャップ５３Ｄの磁束密度を大きくできる。
【００３２】
第２磁石５３Ｂは、押し付け体３１と結合されている。なお、第２磁石５３Ｂは、押し付け体３１の中央に配置されている。ヨーク５３Ａは、第２磁石５３Ｂと磁気的に結合されている。第２磁石５３Ｂにおいて押し付け体３１の反対面である上面に搭載されている。上部プレート５３Ｃは、第２磁石５３Ｂと磁気的に結合されている。そして、ヨーク５３Ａの内周面と、上部プレート５３Ｃの外周の側面とが対向するように配置されている。この構成より、ヨーク５３Ａの内周面と、上部プレート５３Ｃの外周の側面との間に、第２磁気ギャップ５３Ｄを形成できる。
【００３３】
なお、上部プレート５３Ｃの上に、さらに第２キャンセル磁石５３Ｅを配置してもよい。この場合、第２キャンセル磁石５３Ｅから出力される磁束が、第２磁石５３Ｂの磁束と反発するように、第２キャンセル磁石５３Ｅを配置している。
【００３４】
ボイスコイル５７は、第１端部と第２端部を有している。ボイスコイル５７の第１端部は、第２磁気ギャップ５３Ｄへ挿入されている。一方、ボイスコイルと５７の第２端部は、第２振動板５６へ結合されている。図１に示す第２端子５９は、導線５９Ａを含むことが好ましい。ボイスコイル５７は、導線５９Ａを介して第２端子５９と電気的に接続されている。
【００３５】
第１スピーカユニット部２１Ａについて説明する。図３に示すように、第１スピーカユニット部２１Ａは、第１フレーム２２と、第１磁気ギャップ２３Ｑを有した第１磁気回路２３と、支柱２４と、第２フレーム２５と、平面振動板２６と、駆動体２７とを含んでいる。
第１スピーカユニット部２１Ａは、さらにダンパ２８を含んでもよい。第１フレーム２２は、金属製であることが好ましい。この構成により、第１フレームの強度を大きくできる。なお、第１フレーム２２は、非磁性体によって形成することが好ましい。この構成より、第１磁気回路２３の磁束が、第１フレームへ漏洩することを抑制できる。したがって、図８に示す第１磁気ギャップ２３Ｑでの磁束密度を大きくできる。第１フレーム２２は、たとえばアルミダイキャストであることが好ましい。アルミダイキャストの内部損失は、鉄などの金属に比べて大きい。したがって、ラウドスピーカ２１の周波数音圧特性に、第１フレーム２２の共振によるピークやディップの発生を抑制できる。また、第１フレーム２２の生産性が向上する。
【００３６】
平面振動板２６は、振動板本体部２６Ａと、外周側エッジ２６Ｂと、内周側エッジ２６Ｃを含んでいる。外周側エッジ２６Ｂは、平面振動板２６の外周部と、第１フレーム２２との間を連結している。一方、内周側エッジ２６Ｃは、平面振動板２６の内周部と、第２フレーム２５との間を連結している。なお、外周側エッジ２６Ｂと、内周側エッジ２６Ｃは、ともに、振動板本体部２６Ａの背面に結合されている。
【００３７】
図５は、平面振動板２６の要部拡大断面図である。振動板本体部２６Ａは、金属製のハニカムコア体２６Ｄと、スキン層２６Ｅを含んでいる。スキン層２６Ｅは、ハニカムコア体２６Ｄの表と裏の両方に形成されている。
【００３８】
図６は、駆動体２７の要部拡大断面である。駆動体２７は、ボイスコイル２７Ａとボビン２７Ｂとカップリングコーン２７Ｃを含んでいる。ボイスコイル２７Ａは、ボビン２７Ｂの第１端部に巻き回されている。ボビン２７Ｂの第２端部は、カップリングコーン２７Ｃの第１端部に結合されている。そして、カップリングコーン２７Ｃの第２端部は、振動板本体部２６Ａの背面に結合されている。そして、ボイスコイル２７Ａは、図８に示す第１磁気ギャップ２３Ｑへ挿入されている。この構成により、駆動体２７は、ボイスコイル２７Ａに流れる信号に応じて、平面振動板２６を駆動している。
【００３９】
カップリングコーン２７Ｃの第２端部は、接着剤２７Ｄによって、振動板本体部２６Ａの背面と結合されている。カップリングコーン２７Ｃの第２端部は、貼り付け部と、傾斜部２７Ｅを含んでいる。貼り付け部は、振動板本体部２６Ａの背面と平行に形成されている。一方、傾斜部２７Ｅは、振動板本体部２６Ａの背面に対して傾斜して設けられている。この構成により、振動板本体部２６Ａと傾斜部２７Ｅとの間にも接着剤２７Ｄが充填された構成となる。したがって、カップリングコーン２７Ｃは、振動板本体部２６Ａと貼り付け部との間で接着される構成に加えて、振動板本体部２６Ａと傾斜部との間も接着される。したがって、カップリングコーン２７Ｃと平面振動板２６との結合強度を大きくできる。その結果、平面振動板２６の音速が向上する。また、平面振動板２６から出力される音の歪みを小さくできる。
【００４０】
図１に示す第１端子２９は、図３に示す導線２９Ａを含むことが好ましい。この場合、第１フレーム２２は、導線２９Ａを通すための孔を形成する。この構成により、ボイスコイル２７Ａは、導線２９Ａを介して第１端子２９と電気的に接続される。
【００４１】
図７は、ダンパ２８の要部拡大断面図である。ダンパ２８は、本体部２８Ａと、内周部と外周部を含んでいる。本体部２８Ａは、内周部と、外周部との間に設けられている。なお、本体部２８Ａの断面形状は、波形である。ダンパ２８の内周部は、ボビン２７Ｂに結合されている。一方、ダンパ２８外周部は、第１フレーム２２と結合されている。
【００４２】
ダンパ２８の外周部に、本体部２８Ａから上方あるいは下方へ折れ曲がった折れ曲がり部２８Ｂを設けることが好ましい。この構成により、ダンパ２８に外力が加わった場合に、ダンパ２８の塑性変形を抑制できる。さらに、折れ曲がり部２８Ｂの先端に、折れ曲がり部２８Ｂからさらに折れ曲がって形成された鍔部２８Ｃを設けることが好ましい。この構成により、さらにダンパ２８の塑性変形を抑制できる。
【００４３】
ダンパ２８は、第１ダンパ２８Ｄと第２ダンパ２８Ｅを含んでも良い。この場合、第１ダンパ２８Ｄと第２ダンパ２８Ｅの本体部２８Ａの形状は、ボイスコイル２７Ａの中心軸に対して垂直な面に対して対称であることが好ましい。この構成により、ボイスコイル２７Ａの上下方幅に対する歪みを小さくできる。したがって、ラウドスピーカ２１から出力される音の歪みを小さくできる。この場合、鍔部２８Ｃは、第１ダンパ２８Ｄと第２ダンパ２８Ｅのいずれか一方の外周部のみに設けることが好ましい。この構成より、第１ダンパ２８Ｄと第２ダンパ２８Ｅを間違えて逆に配置して結合することを抑制できる。
【００４４】
図８は、第１磁気回路２３の断面図である。第１磁気回路２３は、外磁型であることが好ましい。外磁型の第１磁気回路２３は、下部プレート２３Ｃと、センターポール２３Ｄと、第１磁石２３Ｅと、上部プレート２３Ｆとを含んでいる。なお、下部プレート２３Ｃと、センターポール２３Ｄと、上部プレート２３Ｆは、磁性体によって形成されている。下部プレート２３Ｃと、センターポール２３Ｄと、上部プレート２３Ｆは、鉄によって形成することが好ましい。
【００４５】
センターポール２３Ｄは、下部プレート２３Ｃの中央に形成された、突出部である。第１磁石２３Ｅは、下部プレート２３Ｃの上に結合されている。なお、第１磁石２３Ｅは円環状であり、中央に孔を有している。上部プレート２３Ｆは、第１磁石２３Ｅの上に結合されている。なお、上部プレート２３Ｆも円環状であり、中央に孔を有している。この構成により、下部プレート２３Ｃと、センターポール２３Ｄと、第１磁石２３Ｅと、上部プレート２３Ｆとが、磁気的に結合される。そして、センターポール２３Ｄは、第１磁石２３Ｅと上部プレート２３Ｆの孔を貫通するように設けられている。そして、センターポール２３Ｄの外側の側面と、上部プレート２３Ｆの内側の側面とが対向して配置される。この構成により、センターポール２３Ｄの外側の側面と、上部プレート２３Ｆの内側の側面との間に、第１磁気ギャップ２３Ｑを形成できる。
【００４６】
外磁型の第１磁気回路２３の場合、上面２３Ａは、センターポール２３Ｄの上面に形成されている。一方、下面２３Ｂは、センターポール２３Ｄの下面に形成されている。センターポール２３Ｄは、貫通孔２３Ｋを含んでいる。貫通孔２３Ｋは、下面２３Ｂから上面２３Ａまで貫通している。なお、貫通孔２３Ｋの中心軸は、上から見た場合のセンターポール２３Ｄの中心軸と一致させている。
【００４７】
第１磁気回路２３は、さらに第１キャンセル磁石２３Ｇを含んでも良い。第１キャンセル磁石２３Ｇは、下部プレート２３Ｃの下面に結合している。なお、第１キャンセル磁石２３Ｇも、円環状であることがこのましい。この場合、第１キャンセル磁石２３Ｇは、第１磁石２３Ｅの発生する磁束に対して、反発する方向の磁界を発生している。すなわち、第１磁石２３Ｅと、第１キャンセル磁石２３Ｇとが対向した面の極を同じにしている。この構成により、第１磁気ギャップ２３Ｑでの磁束密度を大きくできる。なお、センターポール２３Ｄは、上面２３Ａに挿入孔２３Ｈを含んでいる。
【００４８】
第１磁気回路２３は、外磁型に限られず、内磁型でも良い。あるいは、第１磁気回路２３は、外磁型と内磁型とを組み合わせた構成でもかまわない。
【００４９】
図９は、支柱２４の断面図である。支柱２４の下端部２４Ｂに、突起２４Ｃが形成されている。そして、突起２４Ｃが、図８に示す挿入孔２３Ｈへ嵌められている。この構成により、支柱２４は、図３に示すセンターポール２３Ｄの上面２３Ａに立った状態を維持できる。なお、図８に示す挿入孔２３Ｈは、センターポール２３Ｄの上面２３Ａの中心に設けられている。すなわち、突起２４Ｃの中心軸は、図８に示す挿入孔２３Ｈおよび貫通孔２３Ｋの中心軸と一致させている。したがって、図８に示すセンターポール２３Ｄの中心に支柱２４を精度良く配置することができる。
【００５０】
支柱２４は、下端部２４Ｂから上端部２４Ａまで貫通する貫通孔２４Ｄを含んでいる。貫通孔２４Ｄの中心軸は、図８に示す貫通孔２３Ｋの中心軸と一致させている。この構成により、図３に示す固定体４１を真っ直ぐに貫通孔２４Ｄへ挿入できる。
【００５１】
なお、下端部２４Ｂにおける貫通孔２４Ｄの直径は、第１の径である。一方、上端部２４Ａにおける貫通孔２４Ｄの直径は、第２の径である。ただし、第２の径は、第１の径よりも大きいことが好ましい。すなわち、貫通孔２４Ｄの内周面は、下端部２４Ｂから上端部２４Ａに向かって直径が大きくなるように傾斜している。この構成により、仮に貫通孔２４Ｄが、支柱２４の中心軸に対して傾いて形成された場合でも、図３に示す固定体４１が、支柱２４の中心軸に対して、傾いて挿入されることを抑制できる。したがって、支柱２４が、図３に示す上面２３Ａに対して、傾いて配置されることをさらに抑制できる。
【００５２】
支柱２４は、金属製であることが好ましい。この構成により、支柱２４を樹脂などで作製した場合に比べて、外力や温度環境の変化などに対する支柱２４の寸法や形状が安定している。したがって、外力や温度環境の変化などに対しても、図３に示すラウドスピーカ２１の歪み特性の変化を抑制できる。
【００５３】
支柱２４と押し付け体３１およびセンターポール２３Ｄの詳細について、図３を参照しながら説明する。支柱２４は、押し付け体３１よりも柔らかい材料によって形成することが好ましい。すなわち、押し付け体３１の硬度は、支柱２４の硬度よりも大きいことが好ましい。さらに、支柱２４は、センターポール２３Ｄよりも柔らかい材料によって形成することが好ましい。すなわち、センターポール２３Ｄの硬度は、支柱２４の硬度よりも大きいことが好ましい。そして、支柱２４は、支柱２４よりも硬い押し付け体３１とセンターポール２３Ｄとの間で挟み込まれて、保持されている。
【００５４】
この構成によって、支柱２４の上面は、押し付け体３１によって押さえ付けられている。また、支柱２４の下面は、センターポール２３Ｄの上面２３Ａに押し付けられている。支柱２４の硬さを押し付け体３１の硬さよりも小さくしているので、支柱２４の上面の一部は変形することができる。また、支柱２４の硬さをセンターポール２３Ｄの硬さよりも小さくしているので、支柱２４の下面の一部は変形することができる。したがって、第１磁気回路２３の上面２３Ａに対する支柱２４の垂直度を高くできる。
【００５５】
また、支柱２４は、非磁性体によって形成されていることが好ましい。この構成により、第１磁気回路２３の磁束が、支柱２４へ流れ込むことを抑制できる。したがって、第１磁気ギャップ２３Ｑでの磁束密度を大きくできる。そこで、支柱２４は、アルミダイキャストによって形成することが好ましい。
【００５６】
図９に示すように、支柱２４は、第２貫通孔２４Ｅを含むことが好ましい。第２貫通孔２４Ｅは、支柱２４の上端部２４Ａから下端部２４Ｂまでを貫通している。図１０は、センターポール２３Ｄの上面図である。センターポール２３Ｄは、第２貫通孔２３Ｍを含むことが好ましい。第２貫通孔２３Ｍは、図８に示すセンターポール２３Ｄの上面２３Ａから下面２３Ｂまでを貫通している。なお、第２貫通孔２３Ｍの中心軸は、図９に示す第２貫通孔２４Ｅの中心軸の延長線上に配置することが好ましい。そこで、図１０に示すように、挿入孔２３Ｈに、回転止め２３Ｌを形成することが好ましい。この構成により、第２貫通孔２３Ｍの中心軸と、図９に示す第２貫通孔２４Ｅの中心軸とが、ずれて配置されることを抑制できる。
【００５７】
図３に示すように、導線５９Ａは、図９に示す第２貫通孔２４Ｅと図１０に示す第２貫通孔２３Ｍとを貫通して、下面２３Ｂまで導かれている。なお、図８に示すように、下面２３Ｂに溝２３Ｐを形成することが好ましい。溝２３Ｐは、下面２３Ｂにおいて、第２貫通孔２３Ｍから、センターポール２３Ｄの外周端部までの間に設けられている。そして、下面２３Ｂまで導かれた図３に示す導線５９Ａは、溝２３Ｐに沿って配線されて、センターポール２３Ｄの外周端部へ導かれている。そして、図３に示すように、第１磁気回路２３の外へと導かれた導線５９Ａは、第１磁気回路２３の側面の外側を通って、第２端子５９に接続されている。
【００５８】
図９に示すように、第２フレーム２５は、支柱２４の上端部２４Ａの上に設けられている。第２フレーム２５は、上端部２４Ａから上に向かって立っている。なお、第２フレーム２５は、上端部２４Ａの外周端部で結合されている。なお、第２フレーム２５は、支柱２４と一体に形成されていることが好ましい。この構成により、第２フレーム２５を支柱２４に対して精度良く配置することができる。したがって、さらに図３に示す平面振動板２６が傾いて装着されることや、平面振動板２６が、中心からずれて装着されることをさらに抑制できる。また、第２フレーム２５を別途作製する必要がないため、第２フレーム２５の生産性が向上する。
【００５９】
第２フレーム２５と、支柱２４とを一体に形成する場合、第２フレーム２５と、支柱２４は、アルミダイキャストによって形成されていることが好ましい。この構成により、図１に示す第１スピーカユニット部２１Ａの振動が、第２スピーカユニット部２１Ｂへ伝達されることを抑制できる。また、第２スピーカユニット部２１Ｂの振動が、第１スピーカユニット部２１Ａへ伝達されることも抑制できる。なお、第２フレーム２５と支柱２４とは、一体に形成する構成に限られず、それぞれ別々に形成してもかまわない。この場合、第２フレーム２５は、樹脂によって形成しても良い。
【００６０】
図１１は、固定体４１の側面図である。固定体４１は、ねじ部４１Ａと、頭部４１Ｂと、シャフト部４１Ｃを含んでいる。頭部４１Ｂは、固定体４１の根元に形成されている。頭部４１Ｂの径は、貫通孔２３Ｋの径よりも大きい。一方、ねじ部４１Ａは、固定体４１の先端に形成されている。そして、シャフト部４１Ｃは、頭部４１Ｂとねじ部４１Ａとの間に設けられている。固定体４１において、シャフト部４１Ｃは、貫通孔２３Ｋの下端から貫通孔２４Ｄ上端付近までの間に形成されている。なお、シャフト部４１Ｃにねじは形成されていない。
【００６１】
シャフト部４１Ｃは、嵌め合わせ部４１Ｄを有することが好ましい。嵌め合わせ部４１Ｄは、図８に示す貫通孔２３Ｋに嵌め合わされている。この構成により、固定体４１の中心軸が、図８に示す貫通孔２３Ｋの中心軸からずれて配置されることを抑制できる。
【００６２】
また、嵌め合わせ部４１Ｄは、図９に示す支柱２４の下端部２４Ｂにおいて、貫通孔２４Ｄに嵌め合わされていることが好ましい。この構成により、図９に示す支柱２４の中心軸が、固定体４１の中心軸からずれて配置されることを抑制できる。
【００６３】
さらに、嵌め合わせ部４１Ｄは、図９に示す下端部２４Ｂでの貫通孔２４Ｄと、図８に示す貫通孔２３Ｋの双方に嵌め合わされていることが好ましい。この場合、図９に示す貫通孔２４Ｄの第１の径は、図８に示す貫通孔２３Ｋの径と同じ寸法に設定する。この構成により、図９に示す支柱２４の中心軸と、固定体４１の中心軸とが、ずれて配置されることを抑制できる。したがって、支柱２４が、第１磁気回路２３の中心軸からずれて配置されることを抑制できる。
【００６４】
図３において、固定体４１は、非磁性体金属によって形成することが好ましい。この構成により、第１磁気回路２３や図４に示す第２磁気回路５３の磁束が固定体４１側へ流れることを抑制できる。したがって、図４に示す第２磁気ギャップ５３Ｄや、図８に示す第１磁気ギャップ２３Ｑの磁束密度を大きくできる。
【００６５】
押し付け体３１は、固定体４１よりも柔らかいことが好ましい。すなわち、固定体４１の硬度は、押し付け体３１の硬度よりも大きい。そこで、固定体４１は、ステンレスによって構成する。この構成により、図１１に示すねじ部４１Ａを図４に示すねじ孔３１Ａへ挿入して、締め付けた場合に、図１１に示すねじ部４１Ａの変形を抑制できる。すなわち、図４に示すねじ孔３１Ａに形成されたねじ山の一部は、図１１に示すねじ部４１Ａに沿った形状に変形できる。したがって、図４に示すねじ孔３１Ａの中心軸が、固定体４１の中心軸に対して傾いた状態で、押し付け体３１を挿入された場合でも、固定体４１の中心軸に対するねじ孔３１Ａの中心軸の傾きを小さくできる。その結果、押し付け体３１を支柱２４へ押し付ける面に対する支柱２４の中心軸の垂直度を高くできる。
【００６６】
以上のように、固定体４１の硬度は、押し付け体３１の硬度よりも大きくし、さらに押し付け体３１と図８に示すセンターポール２３Ｄの硬度は、支柱２４よりも大きくしている。この構成により、支柱２４の中心軸と、第１磁気回路２３の中心軸とが、ずれて配置されることを抑制できる。さらに、支柱２４の中心軸と、第１磁気回路２３の上面２３Ａとの垂直度を大きくできる。
【００６７】
したがって、第１フレーム２２における外周側エッジ２６Ｂとの結合面と、第２フレームにおける内周側エッジ２６Ｃの結合面との間に段差が発生することを抑制できる。その結果、平面振動板２６が傾いて配置されることを抑制できる。すなわち、平面振動板２６の表面と、第１磁気回路２３の中心軸との垂直度を大きくできる。したがって、平面振動板２６のローリングの発生を抑制できる。その結果、ラウドスピーカ２１から出力される音の歪みを小さくできる。また、図８に示す第１磁気ギャップ２３Ｑの間隔を狭くすることもできるので、第１磁気ギャップ２３Ｑでの磁束密度を大きくできる。
【００６８】
さらに、平面振動板２６の中心軸と、第１磁気回路２３の中心軸とがずれて配置されることを抑制できるので、さらに平面振動板２６のローリングの発生を抑制できる。その結果、ラウドスピーカ２１から出力される音の歪みを小さくできる。また、図８に示す第１磁気ギャップ２３Ｑの間隔を狭くすることもできるので、第１磁気ギャップ２３Ｑでの磁束密度を大きくできる。
【産業上の利用可能性】
【００６９】
本発明にかかるラウドスピーカは、歪みを小さくできるという効果を有し、各種の音響機器等に用いると有用である。
【符号の説明】
【００７０】
２１  ラウドスピーカ
２１Ａ  第１スピーカユニット部
２１Ｂ  第２スピーカユニット部
２２  第１フレーム
２３  第１磁気回路
２３Ａ  上面
２３Ｂ  下面
２３Ｃ  下部プレート
２３Ｄ  センターポール
２３Ｅ  第１磁石
２３Ｆ  上部プレート
２３Ｇ  第１キャンセル磁石
２３Ｈ  挿入孔
２３Ｋ  貫通孔
２３Ｌ  回転止め
２３Ｍ  第２貫通孔
２３Ｐ  溝
２３Ｑ  第１磁気ギャップ
２４  支柱
２４Ａ  上端部
２４Ｂ  下端部
２４Ｃ  突起
２４Ｄ  貫通孔
２４Ｅ  第２貫通孔
２５  第２フレーム
２６  平面振動板
２６Ａ  振動板本体部
２６Ｂ  外周側エッジ
２６Ｃ  内周側エッジ
２６Ｄ  ハニカムコア体
２６Ｅ  スキン層
２７  駆動体
２７Ａ  ボイスコイル
２７Ｂ  ボビン
２７Ｃ  カップリングコーン
２７Ｄ  接着剤
２７Ｅ  傾斜部
２８  ダンパ
２８Ａ  本体部
２８Ｂ  折れ曲がり部
２８Ｃ  鍔部
２８Ｄ  第１ダンパ
２８Ｅ  第２ダンパ
２９  第１端子
２９Ａ  導線
３１  押し付け体
３１Ａ  ねじ孔
３１Ｂ  筒部
４１  固定体
４１Ａ  ねじ部
４１Ｂ  頭部
４１Ｃ  シャフト部
４１Ｄ  嵌め合わせ部
５１  第３フレーム
５３  第２磁気回路
５３Ａ  ヨーク
５３Ｂ  第２磁石
５３Ｃ  上部プレート
５３Ｄ  第２磁気ギャップ
５３Ｅ  第２キャンセル磁石
５６  第２振動板
５７  ボイスコイル
５９  第２端子
５９Ａ  導線
【図１】
2016052020.tif 000003
【図２】
2016052020.tif 000004
【図３】
2016052020.tif 000005
【図４】
2016052020.tif 000006
【図５】
2016052020.tif 000007
【図６】
2016052020.tif 000008
【図７】
2016052020.tif 000009
【図８】
2016052020.tif 000010
【図９】
2016052020.tif 000011
【図１０】
2016052020.tif 000012
【図１１】
2016052020.tif 000013